【手続補正書】
【提出日】平成27年5月12日(2015.5.12)
【手続補正１】
【補正対象書類名】特許請求の範囲
【補正対象項目名】全文
【補正方法】変更
【補正の内容】
【特許請求の範囲】
【請求項１】
トレッドを有する空気式または非空気式タイヤであって、前記トレッドが、少なくとも１つの内部空洞内に、エラストマーコアと該エラストマーコアを取囲むシースとを含む複合コードを含むことおよび前記シースが、らせん状に絡み合せた不連続繊維から製造した中空円筒状組紐であることを特徴とする前記空気式または非空気式タイヤ。
【請求項２】
前記絡み合わせた不連続繊維が、これら繊維間に、5％と30％の間の比表面積を有する空きを形成する、請求項１記載のタイヤ。
【請求項３】
前記空きが、10％と20％の間の比表面積を有する、請求項２記載のタイヤ。
【請求項４】
前記組紐の繊維が、ポリアミド、ポリエステル、ポリスルホン、ポリ(フェニレンスルフィド)、ポリ(エーテル‐ケトン)、ポリエーテルイミド、ポリ(アミド‐イミド)、ポリイミド、熱可塑性エラストマー、これらの混合物およびこれらのアロイからなる群から選ばれる、請求項１〜３のいずれか１項記載のタイヤ。
【請求項５】
前記エラストマーコアの組成物が、少なくとも１種のジエンエラストマーをベースとする、請求項１〜４のいずれか１項記載のタイヤ。
【請求項６】
前記ジエンエラストマーが、ポリブタジエン、天然ゴム、合成ポリイソプレン、ブタジエンコポリマー、イソプレンコポリマーおよびこれらエラストマーの混合物からなる群から選ばれる、請求項５記載のタイヤ。
【請求項７】
前記エラストマーコアの組成物がエラストマー100質量部当り30質量部よりも多いAで示す充填剤を含み、この充填剤の粒子は500nmよりも小さい質量平均粒度を有するナノ粒子である、請求項５および６のいずれか１項記載のタイヤ。
【請求項８】
充填剤Aが、カーボンブラックを含む、請求項７記載のタイヤ。
【請求項９】
充填剤Aが、無機充填剤を含む、請求項７および８のいずれか１項記載のタイヤ。
【請求項１０】
前記無機充填剤が、シリカである、請求項９記載のタイヤ。
【請求項１１】
前記エラストマーコアが少なくとも１種の熱可塑性エラストマーをベースとし、該熱可塑性エラストマーが少なくとも１個の不飽和エラストマーブロックと少なくとも１個の熱可塑性ブロックとを含むブロックコポリマーである、請求項１〜４のいずれか１項記載のタイヤ。
【請求項１２】
前記１種以上の熱可塑性エラストマーが、スチレン/ブタジエン(SB)、スチレン/イソプレン(SI)、スチレン/ブタジエン/イソプレン(SBI)、スチレン/ブタジエン/スチレン(SBS)、スチレン/イソプレン/スチレン(SIS)およびスチレン/ブタジエン/イソプレン/スチレン(SBIS)熱可塑性エラストマー、並びにこれらコポリマーの混合物からなる群から選ばれる、請求項１１記載のタイヤ。
【請求項１３】
前記熱可塑性エラストマーが、前記エラストマーコアの唯一のエラストマーである、請求項１１〜１２のいずれか１項記載のタイヤ。
【請求項１４】
前記エラストマーコアが、さらに、１種以上の非熱可塑性エラストマーを、エラストマー100質量部当り多くとも50質量部未満の総含有量で含む、請求項１１〜１２のいずれか１項記載のタイヤ。
【請求項１５】
前記複合コードの最大寸法が、あらゆる断面において、3mmと20mmの間の寸法であるような、請求項１〜１４のいずれか１項記載のタイヤ。
【手続補正２】
【補正対象書類名】明細書
【補正対象項目名】０１５１
【補正方法】変更
【補正の内容】
【０１５１】
従って、本発明に従う再溝付け用コードは、空気式タイヤの製造前後のその形状の良好な管理を可能にし、上記コードを抜出した後のパターンの適切な外観を修復し、そして、工業的実施の高い容易性を有するという利点を有する。
本発明は、さらに、以下の態様であり得る。
〔１〕トレッドを有する空気式または非空気式タイヤであって、前記トレッドが、少なくとも１つの内部空洞内に、エラストマーコアと該エラストマーコアを取囲むシースとを含む複合コードを含むことおよび前記シースが、らせん状に絡み合せた不連続繊維から製造した中空円筒状組紐であることを特徴とする前記空気式または非空気式タイヤ。
〔２〕前記不連続絡み合せ繊維が、これら繊維間に、5％と30％の間の比表面積を有する空きを形成する、前記〔１〕記載のタイヤ。
〔３〕前記空きが、10％と20％の間の比表面積を有する、前記〔２〕記載のタイヤ。
〔４〕前記組紐の繊維が、ポリアミド、ポリエステル、ポリスルホン、ポリ(フェニレンスルフィド)、ポリ(エーテル‐ケトン)、ポリエーテルイミド、ポリ(アミド‐イミド)、ポリイミド、熱可塑性エラストマー、これらの混合物およびこれらの合金からなる群から選ばれる、前記〔１〕〜〔３〕のいずれか１項記載のタイヤ。
〔５〕前記組紐の繊維が、ポリアミド6、ポリアミド6,6およびこれらの混合物のような脂肪族ポリアミドの群から選ばれるポリアミドを含む、前記〔４〕記載のタイヤ。
〔６〕前記組紐の繊維が、ポリ(メタキシリレン) (MXD‐6)、ポリフタルアミド、コポリアミドおよびこれらの混合物のような半芳香族ポリアミドの群から選ばれるポリアミドを含む、前記〔４〕および〔５〕のいずれか１項記載のタイヤ。
〔７〕前記組紐の繊維が、ポリエチレンテレフタレート(PET)、ポリブチレンテレフタレート(PBT)、ポリカーボネート(PC)およびポリエチレンナフタレート(PEN)並びにこれらの混合物から選ばれるポリエステルを含む、前記〔４〕〜〔６〕のいずれか１項記載のタイヤ。
〔８〕前記組紐の繊維が、ポリ(エーテル‐ブロック‐アミド)、熱可塑性ポリウレタン、エーテル‐エステルコポリマー(COPE)およびこれらの混合物の群から選ばれる熱可塑性エラストマーを含む、前記〔４〕〜〔７〕のいずれか１項記載のタイヤ。
〔９〕前記組紐の繊維が、ポリエステル‐エーテルおよびポリエステル‐エステルから選ばれるエーテル‐エステルコポリマー(COPE)を含む、前記〔４〕〜〔７〕のいずれか１項記載のタイヤ。
〔１０〕前記エラストマーコアの組成物が、少なくとも１種のジエンエラストマーをベースとする、前記〔１〕〜〔９〕のいずれか１項記載のタイヤ。
〔１１〕前記ジエンエラストマーが、ポリブタジエン、天然ゴム、合成ポリイソプレン、ブタジエンコポリマー、イソプレンコポリマーおよびこれらエラストマーの混合物からなる群から選ばれる、前記〔１０〕記載のタイヤ。
〔１２〕前記エラストマーコアの組成物がエラストマー100質量部当り30質量部よりも多いAで示す充填剤を含み、この充填剤の粒子は500nmよりも小さい質量平均粒度を有するナノ粒子である、前記〔１０〕および〔１１〕のいずれか１項記載のタイヤ。
〔１３〕充填剤Aが、カーボンブラックを含む、前記〔１２〕記載のタイヤ。
〔１４〕充填剤Aが、無機充填剤を含む、前記〔１２〕および〔１３〕のいずれか１項記載のタイヤ。
〔１５〕前記無機充填剤が、シリカである、前記〔１４〕記載のタイヤ。
〔１６〕前記エラストマーコアが少なくとも１種の熱可塑性エラストマーをベースとし、該熱可塑性エラストマーが少なくとも１個の不飽和エラストマーブロックと少なくとも１個の熱可塑性ブロックとを含むブロックコポリマーである、前記〔１〕〜〔９〕のいずれか１項記載のタイヤ。
〔１７〕前記ブロックコポリマーの１個以上のエラストマーブロックが、25℃よりも低いガラス転移温度を有するエラストマーから選ばれる、前記〔１６〕記載のタイヤ。
〔１８〕前記ブロックコポリマーの１個以上のエラストマーブロックが、イソプレン、ブタジエンまたはこれらの混合物から得られるジエンエラストマーである、前記〔１６〕および〔１７〕のいずれか１項記載のタイヤ。
〔１９〕前記ブロックコポリマーの１個以上の熱可塑性ブロックが、80℃よりも高いガラス転移温度を有し、且つ半結晶性熱可塑性ブロックの場合は80℃よりも高い融点を有するポリマーから選ばれる、前記〔１６〕〜〔１８〕のいずれか１項記載のタイヤ。
〔２０〕前記ブロックコポリマーの１個以上の熱可塑性ブロックが、ポリオレフィン、ポリウレタン、ポリアミド、ポリエステル、ポリアセタール、ポリエーテル、ポリフェニレンスルフィド、ポリフッ化化合物、ポリスチレン、ポリカーボネート、ポリスルホン、ポリメチルメタクリレート、ポリエーテルイミド、熱可塑性コポリマーおよびこれらの混合物からなる群から選ばれる、前記〔１６〕〜〔１９〕のいずれか１項記載のタイヤ。
〔２１〕前記ブロックコポリマーの１個以上の熱可塑性ブロックが、ポリスチレンから選ばれる、前記〔１６〕〜〔２０〕のいずれか１項記載のタイヤ。
〔２２〕前記１種以上の熱可塑性エラストマーが、スチレン/ブタジエン(SB)、スチレン/イソプレン(SI)、スチレン/ブタジエン/イソプレン(SBI)、スチレン/ブタジエン/スチレン(SBS)、スチレン/イソプレン/スチレン(SIS)およびスチレン/ブタジエン/イソプレン/スチレン(SBIS)熱可塑性エラストマー、並びにこれらコポリマーの混合物からなる群から選ばれる、前記〔１６〕〜〔２１〕のいずれか１項記載のタイヤ。
〔２３〕前記熱可塑性エラストマーが、前記エラストマーコアの唯一のエラストマーである、前記〔１６〕〜〔２２〕のいずれか１項記載のタイヤ。
〔２４〕前記エラストマーコアが、さらに、１種以上の非熱可塑性エラストマーを、エラストマー100質量部当り多くとも50質量部未満、好ましくはエラストマー100質量部当り30質量部未満の総含有量で含む、前記〔１６〕〜〔２２〕のいずれか１項記載のタイヤ。
〔２５〕前記複合コードの最大寸法が、あらゆる断面において、3mmと20mmの間の寸法であるような、前記〔１〕〜〔２４〕のいずれか１項記載のタイヤ。
〔２６〕前記複合コードの最大寸法が、あらゆる断面において、5mmと15mmの間の寸法であるような、請求２５項記載のタイヤ。